(57)【要約】【課題】ユーザの意に添わない画面が最初に表示される事態を未然に抑制して、ユーザに対する利便性向上に資する。【解決手段】カスタマイズ情報記憶部７３には、複数の各ユーザが、ユーザ認証後であって所定時間以内に複数の機能を順次選択した際の、複数の機能に係る内容及び選択順位が、各ユーザ毎に関連付けて記憶されており、表示制御部７７は、該当ユーザのカスタマイズ情報をカスタマイズ情報記憶部７３から読み出すにあたり、前記複数の機能のうち、最初に選択された機能（第１順位）に係る初期画面を読み出して、該読み出した初期画面をタッチパネル部５３に表示させる。【選択図】  図３
2008273126.tif 000002
【特許請求の範囲】
【請求項１】
各種情報を表示画面上に表示可能な表示手段と、ユーザがアクセスしてくる毎に、当該ユーザが正規ユーザか否かに係るユーザ認証を行う認証手段と、当該認証手段におけるユーザ認証の結果、当該ユーザが正規ユーザである旨の判定が下されたとき、当該ログインユーザに係る識別情報を取得するユーザ識別情報取得手段と、前記ログインの際に前記表示手段に表示すべき初期画面に係るカスタマイズ情報を、複数の各ユーザ毎にそれぞれ関連付けて記憶するカスタマイズ情報記憶手段と、当該ユーザが正規ユーザである旨の判定が下されたとき、該当ユーザのカスタマイズ情報を前記カスタマイズ情報記憶手段から読み出して、該読み出したカスタマイズ情報に基づく初期画面を前記表示手段に表示させる表示制御手段と、を備えた画像形成装置であって、
前記カスタマイズ情報記憶手段には、
複数の各ユーザが、ログイン中に複数の機能を順次選択した際の、当該複数の機能に係る内容及び選択順位が、各ユーザ毎に関連付けて記憶されており、
前記表示制御手段は、
該当ユーザのカスタマイズ情報を前記カスタマイズ情報記憶手段から読み出すにあたり、前記複数の機能のうち、最初に選択された機能に係る初期画面を読み出して、該読み出した初期画面を前記表示手段に表示させる
ことを特徴とする画像形成装置。
【請求項２】
請求項１記載の画像形成装置であって、
前記カスタマイズ情報記憶手段には、
複数の各ユーザが、直前のログイン中に、所定時間以内に複数の機能を順次選択した際の、当該複数の機能に係る内容及び選択順位が、各ユーザ毎に関連付けて記憶されている
ことを特徴とする画像形成装置。
【請求項３】
請求項１記載の画像形成装置であって、
前記カスタマイズ情報記憶手段には、
複数の各ユーザが、複数回にわたるログイン中に、所定時間以内に複数の機能を順次選択した際の、当該複数の機能に係る内容及び選択順位が、各ユーザ毎並びに各ログイン毎に関連付けて記憶されており、
この場合、前記表示制御手段は、
該当ユーザのカスタマイズ情報を前記カスタマイズ情報記憶手段から読み出すにあたり、最初に選択された頻度が最も高い機能に係る初期画面を読み出して、該読み出した初期画面を前記表示手段に表示させる
ことを特徴とする画像形成装置。
【発明の詳細な説明】
【技術分野】
【０００１】
本発明は、例えば、複写機、プリンタ、ファクシミリ又はこれらの複合機を含む画像形成装置に係り、特に、ログインしてきたユーザに対して適切な初期画面を表示可能な画像形成装置に関する。
【背景技術】
【０００２】
従来、例えば、複写機、プリンタ、ファクシミリ又はこれらの複合機を含む画像形成装置では、一般に、同装置を複数のユーザ間で共用することが多い。かかる利用形態において、複数の各ユーザ毎にカスタマイズされた操作性を提供することができれば便利である。
【０００３】
こうした要請に応えるために、カスタマイズ機能を有する画像形成装置の一例として、本願出願人は、ユーザ識別情報を読み取ってユーザ認証を行なうユーザ認証手段と、上記ユーザ識別情報に基づいて前もって登録されている当該ユーザのカスタマイズ画面のデータを含むカスタマイズ情報を読み出して、カスタマイズ画面を表示部に表示すると共に、カスタマイズ情報を画像形成手段に送出するカスタマイズ手段と、上記カスタマイズ手段からのカスタマイズ情報に基づいて画像情報を形成し、印刷等の画像形成の処理を行なう画像形成手段と、を設けて、上記カスタマイズ手段が、上記カスタマイズ情報に基づいて、表示部にデフォルト画面の代わりに上記カスタマイズ画面を表示させる技術を提案している（特許文献１参照）。特許文献１の技術によれば、ユーザ認証後すぐに当該ユーザ固有のカスタマイズ画面が表示されると共に、ユーザがカスタマイズ情報を設定できる画像形成装置を提供することができる。
【０００４】
ところが、本件発明者の研究によると、複数の各ユーザ毎にカスタマイズした初期画面を提供するにあたっては、各ユーザ毎の機能利用状況のうち、特に、その利用に係る順位を考慮することがきわめて重要であることが判明した。すなわち、例えば、あるユーザの主たる利用態様が、コピーした後にＦａｘ送信を行う態様であれば、初期画面として表示して欲しいのは、コピー機能画面である。このとき、例えば、ユーザが最後に利用した機能を記憶保持させておき、該当ユーザの次回アクセス時に、記憶保持しておいた機能に係る画面を初期画面として表示させる構成を採用した場合には、ユーザの意に添わないＦａｘ送信に係る画面が最初に表示されてしまうことになる。そうすると、折角の画面カスタマイズ機能がユーザに利便性をもたらさないという不幸な結果を招来してしまう。
【０００５】
【特許文献１】特開２００７−５５０９９号公報
【発明の開示】
【発明が解決しようとする課題】
【０００６】
解決しようとする問題点は、各ユーザ毎の機能選択順位を考慮することなしに、複数の各ユーザ毎に単にカスタマイズした初期画面を提供したのでは、ユーザに対して利便性をもたらさないおそれがあった点である。
【課題を解決するための手段】
【０００７】
本発明は、複数の各ユーザ毎にカスタマイズした初期画面を提供するにあたり、ユーザに対する利便性向上に資することを目的として、各種情報を表示画面上に表示可能な表示手段と、ユーザがアクセスしてくる毎に、当該ユーザが正規ユーザか否かに係るユーザ認証を行う認証手段と、当該認証手段におけるユーザ認証の結果、当該ユーザが正規ユーザである旨の判定が下されたとき、当該ログインユーザに係る識別情報を取得するユーザ識別情報取得手段と、前記ログインの際に前記表示手段に表示すべき初期画面に係るカスタマイズ情報を、複数の各ユーザ毎にそれぞれ関連付けて記憶するカスタマイズ情報記憶手段と、当該ユーザが正規ユーザである旨の判定が下されたとき、該当ユーザのカスタマイズ情報を前記カスタマイズ情報記憶手段から読み出して、該読み出したカスタマイズ情報に基づく初期画面を前記表示手段に表示させる表示制御手段と、を備えた画像形成装置であって、前記カスタマイズ情報記憶手段には、複数の各ユーザが、ログイン中に複数の機能を順次選択した際の、当該複数の機能に係る内容及び選択順位が、各ユーザ毎に関連付けて記憶されており、前記表示制御手段は、該当ユーザのカスタマイズ情報を前記カスタマイズ情報記憶手段から読み出すにあたり、前記複数の機能のうち、最初に選択された機能に係る初期画面を読み出して、該読み出した初期画面を前記表示手段に表示させることを最も主要な特徴とする。
【発明の効果】
【０００８】
本発明に係る画像形成装置では、カスタマイズ情報記憶手段には、複数の各ユーザが、ログイン中に複数の機能を順次選択した際の、当該複数の機能に係る内容及び選択順位が、各ユーザ毎に関連付けて記憶されており、表示制御手段は、該当ユーザのカスタマイズ情報を前記カスタマイズ情報記憶手段から読み出すにあたり、前記複数の機能のうち、最初に選択された機能に係る初期画面を読み出して、該読み出した初期画面を前記表示手段に表示させるので、これによって、複数の各ユーザ毎の機能選択順位を考慮することで、ユーザ毎に適切にカスタマイズされた初期画面を提供することが可能となる結果として、ユーザの意に添わない画面が最初に表示される事態を未然に抑制して、ユーザに対する利便性向上に資することができる。
【発明を実施するための最良の形態】
【０００９】
ユーザの意に添わない画面が最初に表示されることを未然に抑制して、ユーザに対する利便性向上に資するといった目的を、該当ユーザのカスタマイズ情報を、カスタマイズ情報記憶手段から読み出すにあたり、該当ユーザがログイン中に順次選択した複数の機能のうち、最初に選択された機能に係る初期画面を読み出して、該読み出した初期画面を前記表示手段に表示させる表示制御手段により実現した。
【実施例】
【００１０】
以下、本発明に係る画像形成装置について、図面を参照しつつ詳細に説明する。
【００１１】
［画像形成装置周辺の概略構成］
図１は、本発明に係る画像形成装置の概略構成を示す機能ブロック図、図２は、同画像形成装置における操作パネル部の外観図である。
【００１２】
本装置は、例えば、コピージョブ、Fax送信ジョブ、印刷ジョブ、又はネットワーク送信（メール送信やデータ送信）ジョブを含む諸機能が利用可能であり、マイクロコンピュータ及び専用のハードウェア回路等から構成される主制御部１１によって制御される。この主制御部１１に接続され諸機能を担う入出力機器として、本装置は、スキャナ部２１、画像処理部３１、エンジン部４１、操作パネル部５１、ファクシミリ通信部６１、ＨＤＤ（ハードディスクドライブ）６３、ネットワークＩ／Ｆ（インタフェース）部６５、並びに、ＩＣカード通信部６７を備える。
【００１３】
主制御部１１は、スキャナ機能を実現するための動作制御を行うスキャナコントローラ１３と、ファクシミリ機能を実現するための動作制御を行うファクシミリコントローラ１５、プリンタ機能を実現するための動作制御を行うプリンタコントローラ１７、並びに、コピー機能を実現するための動作制御を行うコピーコントローラ１９を内蔵し、本装置全体の動作を統括制御する。
【００１４】
スキャナ部２１は、図示しないスキャナを構成する画像照射ランプ２３及びＣＣＤ（電荷結合素子：Charge  Coupled  Device）センサー２５を含む。スキャナ部２１は、画像照射ランプ２３により原稿を照射し、その反射光をＣＣＤセンサー２５で受光することにより、原稿から画像を読み取り、読み取った画像に対応する画像データを画像処理部３１へ出力する。
【００１５】
画像処理部３１は、補正部３３、画像加工部３５及び画像メモリ３７を含む。画像処理部３１は、スキャナ部２１で読み取られた画像データを必要に応じて補正部３３及び画像加工部３５により処理し、処理された画像データを画像メモリ３７に記憶したり、エンジン部４１、ファクシミリ通信部６１等へ出力する。補正部３３は、スキャナ部２１で読み取られた画像データに対してレベル補正、Ｙ補正等の所定の補正処理を行う。画像加工部３５は、画像データの圧縮又は伸張処理、及び拡大又は縮小処理等の種々の加工処理を行う。
【００１６】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。エンジン部４１は、スキャナ部２１で読み取られた画像データ、ネットワークＩ／Ｆ部６５を介してＬＡＮ（Local  Area  Network）によりクライアントＰＣ（パーソナルコンピュータ）等から送信された画像データ、ファクシミリ通信部６１を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００１７】
操作パネル部５１は、図１及び図２に示すように、タッチパネル部５３及び操作キー部５５を含む。操作パネル部５１は、ユーザがスキャナ機能、ファクシミリ機能、プリンタ機能、コピー機能等に関する操作を行うために使用され、ユーザによる操作指令等を主制御部１１に与える。
【００１８】
本発明において表示手段として機能するタッチパネル部５３は、タッチパネルとカラーＬＣＤ（Liquid  Crystal  Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。また、タッチパネル部５３は、複数の各ユーザ毎の機能選択順位を考慮することで、ユーザ毎に適切にカスタマイズされた初期画面を表示する際に用いられる。
【００１９】
操作キー部５５は、ユーザの操作入力を受付けるための複数の操作キーを備えており、例えば、コピー機能、プリンタ機能、スキャナ機能、ファクシミリ機能など諸機能のなかから、所要機能のキー入力操作をユーザが選択的に実行する際に、又は、ユーザが複写部数やコピー実行指令などを操作入力する際に用いられる。
【００２０】
ファクシミリ通信部６１は、符号化／復号化部（図示省略）、変復調部（図示省略）及びＮＣＵ（Network  Control  Unit）（図示省略）を含む。ファクシミリ通信部６１は、スキャナ部２１によって読み取られた原稿の画像データを電話回線を介してファクシミリ装置等へ送信したり、ファクシミリ装置等から送信された画像データを受信する。
【００２１】
ＨＤＤ（ハードディスクドライブ）６３は、スキャナ部２１によって読み取られた画像データ及び同画像データに設定されている出力形式等の種々のデータ等を記憶する。ＨＤＤに記憶されている画像データは、画像形成装置、プログラム及び記録媒体内部で使用されるだけでなく、必要に応じて、ネットワークＩ／Ｆ部６５を介してクライアントＰＣ等から確認したり、クライアントＰＣやＦＴＰサーバ等の所定のフォルダへ転送される。
【００２２】
ネットワークＩ／Ｆ部６５は、ネットワークインタフェース（１０／１００Ｂａｓｅ−ＴＸ）等を用い、ＬＡＮを介して接続されたクライアントＰＣ等のユーザ端末６７に対する種々のデータの送受信を制御する。
【００２３】
ＩＣカード通信部６７は、ユーザが所持しているＩＣタグ等のカードキー６９のアクセスを検知し、カードキー６９に記憶されているユーザ識別情報を読み出して、主制御部１１に転送する機能を備えている。
【００２４】
ところで、複数の各ユーザ毎の機能選択順位を考慮することで、ユーザ毎に適切にカスタマイズされた初期画面を提供するために、主制御部１１は、ユーザがアクセスしてくる毎に、当該ユーザが正規ユーザか否かに係るユーザ認証を行うユーザ認証部（本発明の「認証手段」に相当する。）７０と、ユーザ認証部７０におけるユーザ認証の結果、当該ユーザが正規ユーザである旨の判定が下されたとき、当該ログインユーザに係る識別情報を取得するユーザ識別情報取得部（本発明の「ユーザ識別情報取得手段」に相当する。）７１と、ログイン中にタッチパネル部５３に表示すべき初期画面に係るカスタマイズ情報を、複数の各ユーザ毎にそれぞれ関連付けて記憶するカスタマイズ情報記憶部（本発明の「カスタマイズ情報記憶手段」に相当する。）７３と、当該ユーザが正規ユーザである旨の判定が下されたとき、該当ユーザのカスタマイズ情報をカスタマイズ情報記憶部７３から読み出して、該読み出したカスタマイズ情報に基づき表示すべき初期画面を決定する表示画面決定部７５と、表示画面決定部７５で決定された初期画面を、タッチパネル部５３に表示させる制御を行う表示制御部（本発明の「表示制御手段」に相当する。）７７と、を備えて構成されている。
【００２５】
［本発明に係る画像形成装置の動作］
次に、本発明に係る画像形成装置の動作について、図３及び図４を参照して説明する。図３は、本画像形成装置の動作フローチャートを示し、図４は、カスタマイズ情報記憶部７３に記憶されているカスタマイズ情報に係る説明図を示す。
【００２６】
本動作説明に先立って、前提となる画像形成装置１の構成に言及する。画像形成装置１は、ユーザが所持するカードキー６９との間で認証情報に係るデータ交換を通じて装置の使用を許可するカードキー認証モードと、ユーザ識別情報及び暗証番号（認証情報）のキー入力操作をユーザに要求することを通じて装置の使用を許可するパネル認証モードとを二通り備えており、原則として、カードキー認証モードで動作している。以下の実施例では、原則通りの処理であるカードキー認証モードでの、画像形成装置１の動作について説明してゆく。
【００２７】
まず、ＩＣカード通信部６７は、ＩＣカードキー６９のアクセスを常時監視している。このとき、ユーザが、ＩＣカードキー６９を画像形成装置における所定位置にセットすると、ＩＣカード通信部６７は、ＩＣカードキー６９のアクセスを検知する（ステップＳ１１）とともに、ＩＣカードキー６９に記憶されているユーザ識別情報を読み取り、読み取ったＩＣカードキー６９のユーザ識別情報を、主制御部１１宛に転送する。
【００２８】
主制御部１１は、ＩＣカード通信部６７から転送されてきたユーザ識別情報と、カスタマイズ情報記憶部７３に予め登録されているユーザ識別情報等を照合することで、カードキー認証を介してアクセスしてきたユーザが正規ユーザか否かに係るユーザ認証を行う（ステップＳ１２）。なお、ユーザ認証に際して、暗証番号によるログイン管理機能を追加しても良い。ステップＳ１２のユーザ認証の結果、アクセスユーザが正規ユーザである旨の判定が下されたとき、主制御部１１は、当該ログインユーザに係る識別情報を取得するとともに、このユーザ識別情報に基づいて、該当ユーザのカスタマイズ情報を、カスタマイズ情報記憶部７３から読み出して（ステップＳ１３）、該読み出したカスタマイズ情報に基づき表示すべき初期画面を決定する（ステップＳ１４）。そして、主制御部１１は、ステップＳ１４で決定された初期画面を、タッチパネル部５３に表示させる（ステップＳ１５）。
【００２９】
ここで、複数の各ユーザ毎の機能選択順位を考慮することで、ユーザ毎に適切にカスタマイズされた初期画面を提供するために、カスタマイズ情報記憶部７３には、例えば図４に示すように、複数の各ユーザが、ログイン中であって所定時間（例えば３分間等の、ユーザサイドで適宜設定可能な時間）以内に、複数の機能を順次選択した際の、当該複数の機能に係る内容及び選択順位が、各ユーザ毎に関連付けて記憶されている。図４の例では、ユーザＡについて第１順位が「コピー」、第２順位が「Ｆａｘ送信」である旨が、ユーザＢについて第１順位が「文書ボックス」、第２順位が「Ｆａｘ送信」である旨が、ユーザＣについて第１順位が「スキャン」、第２順位が「文書ボックス」、第３順位が「Ｆａｘ送信」である旨が、各ユーザ毎に関連付けて記憶されている。そして、主制御部１１は、該当ユーザのカスタマイズ情報をカスタマイズ情報記憶部７３から読み出すにあたり、該当ユーザに関連付けられた複数の機能のうち、最初に選択された機能（第１順位）に係る初期画面を読み出す。次いで、主制御部１１は、該読み出した初期画面を表示すべき画面として決定し、決定された初期画面を、タッチパネル部５３に表示させる。図４の例では、ユーザＡについて「コピー」機能に係る初期画面が、ユーザＢについて「文書ボックス」機能に係る初期画面が、また、ユーザＣについて「スキャン」機能に係る初期画面が、それぞれタッチパネル部５３に表示されることになる。
【００３０】
ところで、複数の各ユーザ毎の機能選択に係る内容及び順位を適切に収集するために、ステップＳ１６〜Ｓ１８では、複数の各ユーザ毎の機能利用状況に応じて、カスタマイズ情報記憶部７３の記憶内容を動的に更新するようにしている。すなわち、主制御部１１は、初期画面に表示された機能、又はそれとは異なる機能に係るユーザのパネル操作を、該当ユーザがログアウトするまで受け付ける（ステップＳ１６〜Ｓ１７）。該当ユーザがログアウトした後、主制御部１１は、該当ユーザがログイン中の期間であって、所定時間（例えば３分間等の、ユーザサイドで適宜設定可能な時間）以内に複数の機能を順次選択した際の、当該複数の機能に係る内容及び選択順位（カスタマイズ情報）を、該当ユーザに関連付けて記憶させる（ステップＳ１８）。この際に、ユーザによって最初に選択された機能が、初期画面中の機能とは異なる機能である場合には、上述の最初に選択された機能を、第１順位に割り当てるようにする。なお、複数の各ユーザ毎の機能選択に係る内容及び順位を収集するにあたり、所定時間以内に選択された複数の機能を収集対象とし、所定時間を越えて選択された複数の機能を収集対象から除外したのは、所定時間以内に選択された複数の機能であれば、それらはひとまとまりの、相互に密接した時系列的な関連を有する機能群である蓋然性が高いことに基づく。
【００３１】
［実施例の効果］
以上述べたように、本発明に係る画像形成装置１によれば、カスタマイズ情報記憶部７３には、複数の各ユーザが、ログイン中であって所定時間以内に複数の機能を順次選択した際の、複数の機能に係る内容及び選択順位が、各ユーザ毎に関連付けて記憶されており、表示制御部７７は、該当ユーザのカスタマイズ情報をカスタマイズ情報記憶部７３から読み出すにあたり、前記複数の機能のうち、最初に選択された機能（第１順位）に係る初期画面を読み出して、該読み出した初期画面をタッチパネル部５３に表示させるので、これによって、複数の各ユーザ毎の機能選択順位を考慮することで、ユーザ毎に適切にカスタマイズされた初期画面を提供することが可能となる結果として、ユーザの意に添わない画面が最初に表示される事態を未然に抑制して、ユーザに対する利便性向上に資することができる。
【００３２】
また、複数の各ユーザ毎の機能利用状況に応じて、カスタマイズ情報記憶部７３の記憶内容を、動的に更新するようにしたので、各ユーザ毎の機能利用状況が時々刻々と変化する場合であっても、かかる変化にも柔軟に追従してユーザ毎に適切にカスタマイズされた初期画面を提供することが可能となる結果として、ユーザに対して真の利便性向上をもたらすことができる。
【００３３】
［その他］
本発明は、上述した実施例に限られるものではなく、請求の範囲及び明細書全体から読み取れる発明の要旨、あるいは技術思想に反しない範囲で適宜変更可能であり、そのような変更を伴う画像形成装置もまた、本発明における技術的範囲の射程に包含されるものである。
【００３４】
すなわち、本発明実施例において、カードキー認証モードで動作中の画像形成装置を例示して説明したが、本発明はかかる実施例に限定されるものではなく、例えば、ユーザ識別情報及び暗証番号のキー入力操作をユーザに要求することを通じて装置の使用を許可するパネル認証モードで動作中の画像形成装置にも、本発明を適用可能である。
【００３５】
また、本発明実施例において、カスタマイズ情報記憶部７３には、複数の各ユーザが、直前のログイン中に、所定時間以内に複数の機能を順次選択した際の、当該複数の機能に係る内容及び選択順位が、各ユーザ毎に関連付けて記憶される例をあげて説明したが、本発明はかかる実施例に限定されるものではなく、例えば、複数の各ユーザが、複数回にわたるログイン中に、所定時間以内に複数の機能を順次選択した際の、当該複数の機能に係る内容及び選択順位を、各ユーザ毎並びに各ログイン毎に関連付けて、カスタマイズ情報記憶部７３に記憶させる態様を採用することができる。この場合、表示制御部７７は、該当ユーザのカスタマイズ情報をカスタマイズ情報記憶部７３から読み出すにあたり、最初に選択された頻度が最も高い機能に係る初期画面を読み出して、該読み出した初期画面をタッチパネル部５３に表示させるように構成すればよい。このようにすれば、ユーザによって適宜設定可能な一定期間中に、該当ユーザが最初に選択した頻度が最も高い機能に係る初期画面を、タッチパネル部５３に表示させることができる。従って、各ユーザ毎の機能利用状況が時々刻々と変化する場合であっても、かかる変化にも柔軟に追従してユーザ毎に適切にカスタマイズされた初期画面を提供することが可能となる結果として、ユーザに対して真の利便性向上をもたらすことを期待することができる。
【図面の簡単な説明】
【００３６】
【図１】本発明に係る画像形成装置の概略構成図である。
【図２】本発明に係る画像形成装置における操作パネル部の外観図である。
【図３】本発明に係る画像形成装置の動作フローチャート図である。
【図４】カスタマイズ情報記憶部７３に記憶されているカスタマイズ情報に係る説明図である。
【符号の説明】
【００３７】
１１  主制御部
５３  タッチパネル部（表示手段）
７０  ユーザ認証部（認証手段）
７１  ユーザ識別情報取得部（ユーザ識別情報取得手段）
７３  カスタマイズ情報記憶部（カスタマイズ情報記憶手段）
７５  表示画面決定部
７７  表示制御部（表示制御手段）
【図１】
2008273126.tif 000003
【図２】
2008273126.tif 000004
【図３】
2008273126.tif 000005
【図４】
2008273126.tif 000006